(57)【要約】      （修正有）【課題】ダーツのフライト（羽根）に関するものであり、耐久性を改善するフライトを提供する。【解決手段】ダーツフライト同士が接触する際の力の入力を逃す避弾経始の効果を持つ曲面構造を伴ったダーツフライトである。ダーツフライトの着弾方向側、及び逆方向側それぞれの端が逆弧型の曲面に成型されていることを特徴とする。これによって、初弾，第二弾，第三弾のうち二弾以上が的の特定部位に集中して着弾する際に発生するダーツフライト同士の干渉による入力を逃し、ダーツフライトの耐久性を向上させる効果を得る。【選択図】図１
0003188232.tif 000002
【実用新案登録請求の範囲】
【請求項１】
着弾方向側が逆弧状の曲面に整形されたフライト
【請求項２】
後端側が逆弧状の曲面に整形されたフライト
【請求項３】
請求項１、２両方の曲面を持つフライト
【考案の詳細な説明】
【技術分野】
【０００１】本考案は、ダーツのフライト（羽根）に関するものであり、更に具体的にはフライトの耐久性の改善に関するものである。
【背景技術】
【０００２】ダーツは、的に刺さる先端側から、チップ（またはポイント），バレル（重心），シャフト，ダーツフライト（羽根）の順に構成されており、このうちダーツフライトは、ダーツが的に着弾するまでの飛空安定に資する部材である。
【先行技術文献】
【特許文献】
【０００３】
【特許文献１】特許公開２００４−２４２９３７公報
【考案の概要】
【考案が解決しようとする課題】
【０００５】しかしながら、以上のような背景技術のもと、ダーツを構成する部材のうち、特にダーツフライトは飛空の際の羽根部分を構成する部材であることから、軽量かつ薄い素材を使用しており他の部材に比べ外部からの入力に対する耐久性が低く、かつ、軸方向から外側に向かって３枚ないし４枚羽根の翼状に広がる形状となっていることから、ダーツが的に着弾する際、特に初弾付近に第二弾が着弾すると、初弾と第二弾のダーツフライト同士が勢いよく干渉し合うことがあり、その結果フライトの損耗を早めてしまう。また、これは第三弾着弾の際も同様であり、高得点を得られる的の部位が特定の範囲に集中していることから、上級者ほど初弾、第二弾、第三弾が狭い範囲に集中して着弾し、その都度フライトが損耗する結果となることが多い。【０００６】本考案は、以上の点に着目したもので、その目的は、ダーツフライト同士が接触する際の力の入力を逃す避弾経始の効果を持つ曲面構造を伴ったダーツフライトを提供することである。
【課題を解決するための手段】
【０００７】前記目的を達成するため、本考案は、ダーツフライトの着弾方向側、及び逆方向側それぞれの端が逆弧型の曲面に成型されていることを特徴とする。
【考案の効果】
【０００８】本考案は、ダーツフライトの着弾方向側、及び逆方向側それぞれの端を逆弧型の曲面に成型することによって、初弾，第二弾，第三弾のうち二弾以上が的の特定部位に集中して着弾する際に発生するダーツフライト同士の干渉による入力を逃し、ダーツフライトの耐久性を向上させる効果を得る。
【考案を実施するための形態】
【０００９】以下、本考案を実施するための最良の形態を、実施例に基づいて説明する。
【実施例】
【００１０】本考案は、ダーツフライト一般に対して適用可能なものである。【００１１】逆弧状の部位は、程度の差はあるが、比較的直線に近いなだらかな曲面から深くくびれた曲面まで、いかように成型しても同様の効果を得られる。
0003188232.tif 000003
【手続補正書】
【提出日】平成25年8月20日(2013.8.20)
【手続補正１】
【補正対象書類名】明細書
【補正対象項目名】全文
【補正方法】変更
【補正の内容】
【考案の詳細な説明】
【技術分野】
【０００１】本考案は、ダーツのフライト（羽根）に関するものであり、更に具体的にはフライトの耐久性の改善に関するものである。
【背景技術】
【０００２】ダーツは、的に刺さる先端側から、チップ（またはポイント），バレル（重心），シャフト，ダーツフライト（羽根）の順に構成されており、このうちダーツフライトは、ダーツが的に着弾するまでの飛空安定に資する部材である。
【先行技術文献】
【特許文献】
【０００３】
【特許文献１】特許公開２００４−２４２９３７公報
【考案の概要】
【考案が解決しようとする課題】
【０００４】しかしながら、以上のような背景技術のもと、ダーツを構成する部材のうち、特にダーツフライトは飛空の際の羽根部分を構成する部材であることから、軽量かつ薄い素材を使用しており他の部材に比べ外部からの入力に対する耐久性が低く、かつ、軸方向から外側に向かって羽根が３枚ないし４枚の翼状に広がる形状となっていることから、ダーツが的に着弾する際、特に初弾付近に第二弾が着弾すると、初弾と第二弾のダーツフライト同士が勢いよく干渉し合うことがあり、その結果フライトの損耗を早めてしまう。また、これは第三弾着弾の際も同様であり、高得点を得られる的の部位が特定の範囲に集中していることから、上級者ほど初弾、第二弾、第三弾が狭い範囲に集中して着弾し、その都度フライトが損耗する結果となることが多い。【０００５】本考案は、以上の点に着目したもので、その目的は、ダーツフライト同士が接触する際の力の入力を逃す避弾経始の効果を持つ曲面構造を伴ったダーツフライトを提供し、これを以ってフライトの耐久性を増すことにある。
【課題を解決するための手段】
【０００６】前記目的を達成するため、本考案は、ダーツフライトの着弾方向側、ならびに逆方向側それぞれが逆弧型の曲面に成型されていることを特徴とする。
【考案の効果】
【０００７】  本考案は、ダーツフライトの着弾方向側、及び逆方向側それぞれの端を逆弧型の曲面に成型することによって、初弾，第二弾，第三弾のうち二弾以上が的の特定部位に集中して着弾する際に発生するダーツフライト同士の干渉による入力を逃し、ダーツフライトの耐久性を向上させる効果を得る。
【考案を実施するための形態】
【０００８】以下、本考案を実施するための最良の形態を、実施例に基づいて説明する。
【実施例】
【０００９】本考案は、ダーツフライト一般に対して適用可能なものである。【００１０】逆弧状の部位は、程度の差はあるが、比較的直線に近いなだらかな曲線から深くくびれた曲線まで、フライト中心部に向かっての曲線であれば、どのような曲線で成型しても同様の効果を得られる。
【図面の簡単な説明】
【００１１】
【図１】図１は、本発明の実施例を示す図であり、（Ａ）は本実施例のフライトの概観を示す傾斜図であり、（Ｂ）は（Ａ）の逆方向側から見た場合の傾斜図である。
【図２】図２は、本実施例のフライトを用いたダーツの外観傾斜図であり、（Ａ）は組み立て完成を表す傾斜図であり、（Ｂ）は各々の接合部を切り離した状態の傾斜図である。
【符号の説明】１：先端
２：シャフト接合部
３：面
４：フライト
５，５Ａ，５Ｂ：シャフト
６：バレル
７，７Ａ：チップ
【手続補正２】
【補正対象書類名】図面
【補正対象項目名】全図
【補正方法】変更
【補正の内容】
【図１】
0003188232.tif 000004
【図２】
0003188232.tif 000005
【手続補正書】
【提出日】平成25年10月17日(2013.10.17)
【手続補正１】
【補正対象書類名】実用新案登録請求の範囲
【補正対象項目名】請求項３
【補正方法】変更
【補正の内容】
【請求項３】
着弾方向側が逆弧状の曲面に整形され、かつ後端側が逆弧状の曲面に整形されたフライト。